(57)【要約】      （修正有）【課題】赤外線センサーの検出感度を低下を防ぐ省エネルルギー廊下ライトを提供する。【解決手段】赤外線センサー付きの省エネルギー廊下ライトは、外部のスイッチによって手で制御する方式と赤外線センサーで制御する方式との二つの方式を有し、廊下の天井１０を含む。天井１０の中に設置された置きチャンバ１２には開け閉め装置６０１が設置される。開け閉め装置６０１には照明ライト２５が取り付けられた回転カバー２０が回転できるように設置される。置きチャンバ１２の下側には、置きチャンバ１２を密封できる密封装置６０２が設置される。置きチャンバ１２の両側に設置された伸縮装置６０４には、蓄電池と接続される風力発電装置６０５が設置される。押出装置６０３の下端には赤外線センサーが設けられ、赤外線センサーが下降し照明ライト２５から離れた状態で赤外線を検出し、照明ライトを制御する。【選択図】図１
2020202168.tif 000002
【特許請求の範囲】
【請求項１】
正面視で、廊下の天井を含み、
前記天井の中には置きチャンバが設置され、前記置きチャンバには開け閉め装置が設置され、前記開け閉め装置には回転カバーが回転できるように設置され、前記回転カバーには照明ライトが取り付けられ、前記置きチャンバの下側には密封装置が設置され、前記密封装置は前記置きチャンバを密封でき、前記置きチャンバの上側には押しチャンバが連通するように設置され、
前記押しチャンバの中には押し装置が設置され、前記押し装置の中には下端が前記置きチャンバの中に伸びている赤外線センサーが取り付けられ、前記押し装置が前記密封装置と動力が伝達できるように連結され、
前記置きチャンバの左右両側には凹チャンバが対称的に設置され、前記凹チャンバの下端が外部空間と連通しており、前記凹チャンバのうち前記置きチャンバから離れている片側には伸縮装置が設置され、前記伸縮装置の下端には風力発電装置が設置され、
左右の前記回転カバーが互いに当接した時、前記照明ライトが作動して普通の照明として使われ、この時、前記風力発電装置が作動して風力エネルギーを電気エネルギーに変えて貯蔵し、前記押し装置が前記回転カバーを駆動して開けると、前記赤外線センサーが下降して外部空間に伸び、赤外線の温度測定の原理によって前記照明ライトのスイッチを制御し、この時、前記風力発電装置は作動を停止し、温度のために赤外線センサーの感度に影響することを避けることを特徴とする赤外線センサー付きの省エネルギー廊下ライト。
【請求項２】
前記開け閉め装置は前記置きチャンバの中の左右対称のスライドブロックを含み、
前記スライドブロックの中には回転チャンバが設置され、前記回転チャンバの中には回転軸が回転できるように設置され、前記回転カバーの上端が前記回転軸に固定的に設置され、前記回転チャンバの後側には噛み合いチャンバが連通するように設置され、前記回転軸の後端が前記噛み合いチャンバの後端壁と回転できるように連結され、前記噛み合いチャンバの中にある前記回転軸には噛み合いギヤが固定的に設置され、
前記置きチャンバの左右端壁の中にはそれぞれ固定ラックが固定的に設置され、前記固定ラックが前記噛み合いギヤの上側位置にあり、前記固定ラックが前記噛み合いギヤと噛み合っていることを特徴とする請求項１に記載の赤外線センサー付きの省エネルギー廊下ライト。
【請求項３】
前記密封装置は左右対称の密封スライドチャンバを含み、
前記密封スライドチャンバの中には断熱密封板がスライドできるように設置され、前記密封スライドチャンバの後側には回転溝が連通するように形成されており、前記回転溝の中には回転ギヤが回転ロッドによって回転できるように設置され、前記回転ギヤが前記断熱密封板と噛み合っており、前記回転ロッドの上端が前記押し装置と動力が伝達できるように連結されたことを特徴とする請求項１に記載の赤外線センサー付きの省エネルギー廊下ライト。
【請求項４】
前記押し装置は前記押しチャンバの中に設置された圧力かけ板を含み、
前記赤外線センサーの上端が前記圧力かけ板に固定的に設置され、前記圧力かけ板の中には押し空間が設置され、前記押し空間の中には連結ロッドがスライドできるように設置され、前記連結ロッドの下端と前記押し空間との間には圧力ばねが固定的に設置され、前記押し空間の左右両側には対称のスライドガイド溝が連通するように形成されており、前記連結ロッドの両端がそれぞれ前記スライドガイド溝の中に伸びており、前記連結ロッドの上端面には押しブロックが固定的に設置され、前記押しブロックの後端面には歯付きブロックが固定的に設置され、前記押しブロックの中には回転親ネジがネジ山によって連結され、前記押しチャンバの上端壁にはモーターが取り付けられ、前記回転親ネジの上端が前記モーターに動力が伝達できるように連結され、前記モーターの上端にはモーター軸が動力が伝達できるように連結され、
前記押しチャンバの後端壁には伝動チャンバが連通するように設置され、前記伝動チャンバの中には伝動ギヤが回転できるように設置され、前記伝動ギヤが前記歯付きブロックと噛み合っており、前記伝動ギヤの右側には伝動ベベルギヤが噛み合うように連結され、前記伝動ベベルギヤの軸心のところにはギヤ軸が固定的に設置され、
前記伝動チャンバの下側にはベルトチャンバが連通するように設置され、前記ギヤ軸の下端が前記ベルトチャンバの下端壁と回転できるように連結され、前記ベルトチャンバが前記回転溝と連通しており、左右の前記回転ロッドの上端が前記ベルトチャンバの中に伸びており、前記ベルトチャンバの中にある前記回転ロッドと前記ギヤ軸との間にはベルトによって動力が伝達できるように連結されたことを特徴とする請求項１に記載の赤外線センサー付きの省エネルギー廊下ライト。
【請求項５】
前記伝動ギヤは固定的に連結された左側に位置しているスパーギヤと右側に位置しているベベルギヤとによって構成されることを特徴とする請求項４に記載の赤外線センサー付きの省エネルギー廊下ライト。
【請求項６】
前記伸縮装置は左右対称の昇降チャンバを含み、
前記昇降チャンバの中には昇降ブロックがスライドできるように設置され、前記昇降ブロックのうち対称中心から離れている一端には昇降ガイドブロックが固定的に設置され、前記昇降チャンバのうち対称中心から離れている片側には昇降ガイド溝が連通するように形成されており、
前記昇降ガイド溝の中には昇降親ネジが回転できるように設置され、前記昇降ガイドブロックが前記昇降親ネジとネジ山によって連結され、
前記昇降ガイド溝の上側には連結チャンバが連通するように設置され、前記昇降親ネジの上端が前記連結チャンバの中に伸びており、また前記連結チャンバの中の前記昇降親ネジと前記モーター軸との間がタイミングはめ歯ベルトによって動力が伝達できるように連結されたことを特徴とする請求項１に記載の赤外線センサー付きの省エネルギー廊下ライト。
【請求項７】
前記風力発電装置は支持軸を含み、
前記支持軸の上端が前記昇降ブロックに固定的に設置され、前記支持軸の中には蓄電池が取り付けられ、前記照明ライトと前記モーターとが前記蓄電池と通電できるように連結され、
前記支持軸の前端面の中には風力回転軸が回転できるように設置され、前記風力回転軸の後端が前記蓄電池と連結され、前記風力回転軸の前端には取り付け盤が固定的に設置され、前記取り付け盤には三つのファンが四周に向くように取り付けられたことを特徴とする請求項１に記載の赤外線センサー付きの省エネルギー廊下ライト。
【発明の詳細な説明】
【技術分野】
【０００１】
本発明は環境保護技術分野に関わり、具体的には赤外線センサー付きの省エネルギー廊下ライトである。
【背景技術】
【０００２】
伝統的な赤外線センサー付き廊下ライトは赤外線センサーがランプシェードの外側に取り付けられているため、照明ライトが作動する時に生じた熱量は赤外線センサーに影響を与え、また赤外線センサーの感度がよくなくなり、歩行者が通ることを検査測定する時、直ちに照明ライトを制御して光らせることはできなく、また赤外線センサーは外部空間に露出しているため、その表面に埃が積もりやすく、それも使用に影響を与え、そのほか、既存の廊下ライトは一般的に外部の商用電源によって電気エネルギーを提供し、エネルギーを費やし、使用コストを増加する。本発明は上記の問題を解決できる装置を開示する。
【先行技術文献】
【特許文献】
【０００３】
【特許文献１】中国特許出願公開第１０９０５８８４１号明細書
【発明の概要】
【発明が解決しようとする課題】
【０００４】
技術問題：伝統的な赤外線センサー付き廊下ライトは赤外線センサーがランプシェードの外側に取り付けられているため、照明ライトが作動する時に生じた熱量は赤外線センサーに影響を与え、また赤外線センサーの感度がよくなくなる。
【課題を解決するための手段】
【０００５】
上記の問題を解決するため、本発明は赤外線センサー付きの省エネルギー廊下ライトを設計し、本発明に説明する赤外線センサー付きの省エネルギー廊下ライトは、廊下の天井を含み、前記天井の中には置きチャンバが設置され、前記置きチャンバには開け閉め装置が設置され、前記開け閉め装置には回転カバーが回転できるように設置され、前記回転カバーには照明ライトが取り付けられ、前記置きチャンバの下側には密封装置が設置され、前記密封装置は前記置きチャンバを密封でき、前記置きチャンバの上側には押しチャンバが連通するように設置され、前記押しチャンバの中には押し装置が設置され、前記押し装置の中には下端が前記置きチャンバの中に伸びている赤外線センサーが取り付けられ、前記押し装置が前記密封装置と動力が伝達できるように連結され、前記置きチャンバの左右両側には凹チャンバが対称的に設置され、前記凹チャンバの下端が外部空間と連通しており、前記凹チャンバのうち前記置きチャンバから離れている片側には伸縮装置が設置され、前記伸縮装置の下端には風力発電装置が設置され、左右の前記回転カバーが互いに当接した時、前記照明ライトが作動して普通の照明として使われ、この時、前記風力発電装置が作動して風力エネルギーを電気エネルギーに変えて貯蔵し、前記押し装置が前記回転カバーを駆動して開けると、前記赤外線センサーが下降して外部空間に伸び、赤外線の温度測定の原理によって前記照明ライトのスイッチを制御し、この時、前記風力発電装置は作動を停止し、温度のために赤外線センサーの感度に影響することを避ける。
【０００６】
好ましくは、前記開け閉め装置は前記置きチャンバの中の左右対称のスライドブロックを含み、前記スライドブロックの中には回転チャンバが設置され、前記回転チャンバの中には回転軸が回転できるように設置され、前記回転カバーの上端が前記回転軸に固定的に設置され、前記回転チャンバの後側には噛み合いチャンバが連通するように設置され、前記回転軸の後端が前記噛み合いチャンバの後端壁と回転できるように連結され、前記噛み合いチャンバの中にある前記回転軸には噛み合いギヤが固定的に設置され、前記置きチャンバの左右端壁の中にはそれぞれ固定ラックが固定的に設置され、前記固定ラックが前記噛み合いギヤの上側位置にあり、前記固定ラックが前記噛み合いギヤと噛み合っており、前記スライドブロックが互いに離れている方向に移動する時、前記固定ラックによって前記噛み合いギヤを回転させることができ、それによって前記回転カバーを回転させて開け又は閉めることを制御する。
【０００７】
好ましくは、前記密封装置は左右対称の密封スライドチャンバを含み、前記密封スライドチャンバの中には断熱密封板がスライドできるように設置され、前記密封スライドチャンバの後側には回転溝が連通するように形成されており、前記回転溝の中には回転ギヤが回転ロッドによって回転できるように設置され、前記回転ギヤが前記断熱密封板と噛み合っており、前記回転ロッドの上端が前記押し装置と動力が伝達できるように連結され、前記回転ギヤが回転して前記断熱密封板の開け閉めを制御し、前記断熱密封板が開けられた時、前記赤外線センサーが外部空間に下降して作動する。
【０００８】
好ましくは、前記押し装置は前記押しチャンバの中に設置された圧力かけ板を含み、前記赤外線センサーの上端が前記圧力かけ板に固定的に設置され、前記圧力かけ板の中には押し空間が設置され、前記押し空間の中には連結ロッドがスライドできるように設置され、前記連結ロッドの下端と前記押し空間との間には圧力ばねが固定的に設置され、前記押し空間の左右両側には対称のスライドガイド溝が連通するように形成されており、前記連結ロッドの両端がそれぞれ前記スライドガイド溝の中に伸びており、前記連結ロッドの上端面には押しブロックが固定的に設置され、前記押しブロックの後端面には歯付きブロックが固定的に設置され、前記押しブロックの中には回転親ネジがネジ山によって連結され、前記押しチャンバの上端壁にはモーターが取り付けられ、前記回転親ネジの上端が前記モーターに動力が伝達できるように連結され、前記モーターの上端にはモーター軸が動力が伝達できるように連結され、前記押しチャンバの後端壁には伝動チャンバが連通するように設置され、前記伝動チャンバの中には伝動ギヤが回転できるように設置され、前記伝動ギヤが前記歯付きブロックと噛み合っており、前記伝動ギヤの右側には伝動ベベルギヤが噛み合うように連結され、前記伝動ベベルギヤの軸心のところにはギヤ軸が固定的に設置され、前記伝動チャンバの下側にはベルトチャンバが連通するように設置され、前記ギヤ軸の下端が前記ベルトチャンバの下端壁と回転できるように連結され、前記ベルトチャンバが前記回転溝と連通しており、左右の前記回転ロッドの上端が前記ベルトチャンバの中に伸びており、前記ベルトチャンバの中にある前記回転ロッドと前記ギヤ軸との間にはベルトによって動力が伝達できるように連結され、前記押しブロックが下降すると、前記圧力ばねが圧縮され、それによって前記伝動ギヤが回転し、伝動によって前記密封装置が作動して前記置きチャンバを開け、前記押しブロックの下端が前記押し空間の下端壁と当接した時、前記押しブロックが下降して前記赤外線センサーを同期に下降連動させ、それによって赤外線センサーが外部空間に伸びて作動する。
【０００９】
好ましくは、前記伝動ギヤは固定的に連結された左側に位置しているスパーギヤと右側に位置しているベベルギヤとによって構成される。
【００１０】
好ましくは、前記伸縮装置は左右対称の昇降チャンバを含み、前記昇降チャンバの中には昇降ブロックがスライドできるように設置され、前記昇降ブロックのうち対称中心から離れている一端には昇降ガイドブロックが固定的に設置され、前記昇降チャンバのうち対称中心から離れている片側には昇降ガイド溝が連通するように形成されており、前記昇降ガイド溝の中には昇降親ネジが回転できるように設置され、前記昇降ガイドブロックが前記昇降親ネジとネジ山によって連結され、前記昇降ガイド溝の上側には連結チャンバが連通するように設置され、前記昇降親ネジの上端が前記連結チャンバの中に伸びており、また前記連結チャンバの中の前記昇降親ネジと前記モーター軸との間がタイミングはめ歯ベルトによって動力が伝達できるように連結され、前記モーターが作動して左右の前記昇降親ネジを駆動して回転させ、それによって前記昇降ブロックが前記風力発電装置を昇降連動させる。
【００１１】
好ましくは、前記風力発電装置は支持軸を含み、前記支持軸の上端が前記昇降ブロックに固定的に設置され、前記支持軸の中には蓄電池が取り付けられ、前記照明ライトと前記モーターとが前記蓄電池と通電できるように連結され、前記支持軸の前端面の中には風力回転軸が回転できるように設置され、前記風力回転軸の後端が前記蓄電池と連結され、前記風力回転軸の前端には取り付け盤が固定的に設置され、前記取り付け盤には三つのファンが四周に向くように取り付けられ、前記ファンが回転して風力エネルギーを電気エネルギーに変えて前記蓄電池の中に貯蔵する。
【発明の効果】
【００１２】
本発明の有益な効果は：本発明の赤外線センサー付きの省エネルギー廊下ライトは外部のスイッチによって手で制御する方式と赤外線センサーで制御する方式との二つの方式があり、赤外線センサーの使用寿命を延ばすことができ、また、照明ライトは回転カバーの中に取り付けられ、防塵の作用を持ち、赤外線センサーによって照明を制御する時、照明ライトは赤外線センサーと分離し、赤外線センサーは温度の影響で感度が弱くなる問題の発生を減少し、そのほか、本照明装置は風力エネルギーによって発電でき、エネルギーを省いて環境に優しい。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の赤外線センサー付きの省エネルギー廊下ライトの全体構造略図
【図２】図２は図１の「Ａ」の拡大構造略図
【図３】図３は図１の「Ｂ―Ｂ」方向の構造略図
【図４】図４は図１の「Ｃ―Ｃ」方向の構造略図
【図５】図５は図１の「Ｄ―Ｄ」方向の構造略図
【発明を実施するための形態】
【００１５】
本発明は赤外線センサー付きの省エネルギー廊下ライトであり、主に廊下の照明作業に応用し、以下、本発明の付図を合わせて本発明を更に説明する：
【００１６】
本発明に説明する赤外線センサー付きの省エネルギー廊下ライトは、廊下の天井１０を含み、前記天井１０の中には置きチャンバ１２が設置され、前記置きチャンバ１２には開け閉め装置６０１が設置され、前記開け閉め装置６０１には回転カバー２０が回転できるように設置され、前記回転カバー２０には照明ライト２５が取り付けられ、前記置きチャンバ１２の下側には密封装置６０２が設置され、前記密封装置６０２は前記置きチャンバ１２を密封でき、前記置きチャンバ１２の上側には押しチャンバ１１が連通するように設置され、前記押しチャンバ１１の中には押し装置６０３が設置され、前記押し装置６０３の中には下端が前記置きチャンバ１２の中に伸びている赤外線センサー２７が取り付けられ、前記押し装置６０３が前記密封装置６０２と動力が伝達できるように連結され、前記置きチャンバ１２の左右両側には凹チャンバ５５が対称的に設置され、前記凹チャンバ５５の下端が外部空間と連通しており、前記凹チャンバ５５のうち前記置きチャンバ１２から離れている片側には伸縮装置６０４が設置され、前記伸縮装置６０４の下端には風力発電装置６０５が設置され、左右の前記回転カバー２０が互いに当接した時、前記照明ライト２５が作動して普通の照明として使われ、この時、前記風力発電装置６０５が作動して風力エネルギーを電気エネルギーに変えて貯蔵し、前記押し装置６０３が前記回転カバー２０を駆動して開けると、前記赤外線センサー２７が下降して外部空間に伸び、赤外線の温度測定の原理によって前記照明ライト２５のスイッチを制御し、この時、前記風力発電装置６０５は作動を停止し、温度のために赤外線センサー２７の感度に影響することを避ける。
【００１７】
有益なように、前記開け閉め装置６０１は前記置きチャンバ１２の中の左右対称のスライドブロック１８を含み、前記スライドブロック１８の中には回転チャンバ１９が設置され、前記回転チャンバ１９の中には回転軸２１が回転できるように設置され、前記回転カバー２０の上端が前記回転軸２１に固定的に設置され、前記回転チャンバ１９の後側には噛み合いチャンバ２２が連通するように設置され、前記回転軸２１の後端が前記噛み合いチャンバ２２の後端壁と回転できるように連結され、前記噛み合いチャンバ２２の中にある前記回転軸２１には噛み合いギヤ２３が固定的に設置され、前記置きチャンバ１２の左右端壁の中にはそれぞれ固定ラック２４が固定的に設置され、前記固定ラック２４が前記噛み合いギヤ２３の上側位置にあり、前記固定ラック２４が前記噛み合いギヤ２３と噛み合っており、前記スライドブロック１８が互いに離れている方向に移動する時、前記固定ラック２４によって前記噛み合いギヤ２３を回転させることができ、それによって前記回転カバー２０を回転させて開け又は閉めることを制御する。
【００１８】
有益なように、前記密封装置６０２は左右対称の密封スライドチャンバ１３を含み、前記密封スライドチャンバ１３の中には断熱密封板１４がスライドできるように設置され、前記密封スライドチャンバ１３の後側には回転溝１５が連通するように形成されており、前記回転溝１５の中には回転ギヤ１７が回転ロッド１６によって回転できるように設置され、前記回転ギヤ１７が前記断熱密封板１４と噛み合っており、前記回転ロッド１６の上端が前記押し装置６０３と動力が伝達できるように連結され、前記回転ギヤ１７が回転して前記断熱密封板１４の開け閉めを制御し、前記断熱密封板１４が開けられた時、前記赤外線センサー２７が外部空間に下降して作動する。
【００１９】
有益なように、前記押し装置６０３は前記押しチャンバ１１の中に設置された圧力かけ板２６を含み、前記赤外線センサー２７の上端が前記圧力かけ板２６に固定的に設置され、前記圧力かけ板２６の中には押し空間２８が設置され、前記押し空間２８の中には連結ロッド３０がスライドできるように設置され、前記連結ロッド３０の下端と前記押し空間２８との間には圧力ばね３１が固定的に設置され、前記押し空間２８の左右両側には対称のスライドガイド溝２９が連通するように形成されており、前記連結ロッド３０の両端がそれぞれ前記スライドガイド溝２９の中に伸びており、前記連結ロッド３０の上端面には押しブロック３２が固定的に設置され、前記押しブロック３２の後端面には歯付きブロック３３が固定的に設置され、前記押しブロック３２の中には回転親ネジ４０がネジ山によって連結され、前記押しチャンバ１１の上端壁にはモーター４１が取り付けられ、前記回転親ネジ４０の上端が前記モーター４１に動力が伝達できるように連結され、前記モーター４１の上端にはモーター軸４２が動力が伝達できるように連結され、前記押しチャンバ１１の後端壁には伝動チャンバ３４が連通するように設置され、前記伝動チャンバ３４の中には伝動ギヤ３５が回転できるように設置され、前記伝動ギヤ３５が前記歯付きブロック３３と噛み合っており、前記伝動ギヤ３５の右側には伝動ベベルギヤ３６が噛み合うように連結され、前記伝動ベベルギヤ３６の軸心のところにはギヤ軸３７が固定的に設置され、前記伝動チャンバ３４の下側にはベルトチャンバ３８が連通するように設置され、前記ギヤ軸３７の下端が前記ベルトチャンバ３８の下端壁と回転できるように連結され、前記ベルトチャンバ３８が前記回転溝１５と連通しており、左右の前記回転ロッド１６の上端が前記ベルトチャンバ３８の中に伸びており、前記ベルトチャンバ３８の中にある前記回転ロッド１６と前記ギヤ軸３７との間にはベルト３９によって動力が伝達できるように連結され、前記押しブロック３２が下降すると、前記圧力ばね３１が圧縮され、それによって前記伝動ギヤ３５が回転し、伝動によって前記密封装置６０２が作動して前記置きチャンバ１２を開け、前記押しブロック３２の下端が前記押し空間２８の下端壁と当接した時、前記押しブロック３２が下降して前記赤外線センサー２７を同期に下降連動させ、それによって赤外線センサー２７が外部空間に伸びて作動する。
【００２０】
有益なように、前記伝動ギヤ３５は固定的に連結された左側に位置しているスパーギヤと右側に位置しているベベルギヤとによって構成される。
【００２１】
有益なように、前記伸縮装置６０４は左右対称の昇降チャンバ４８を含み、前記昇降チャンバ４８の中には昇降ブロック４９がスライドできるように設置され、前記昇降ブロック４９のうち対称中心から離れている一端には昇降ガイドブロック４７が固定的に設置され、前記昇降チャンバ４８のうち対称中心から離れている片側には昇降ガイド溝４５が連通するように形成されており、前記昇降ガイド溝４５の中には昇降親ネジ４６が回転できるように設置され、前記昇降ガイドブロック４７が前記昇降親ネジ４６とネジ山によって連結され、前記昇降ガイド溝４５の上側には連結チャンバ４３が連通するように設置され、前記昇降親ネジ４６の上端が前記連結チャンバ４３の中に伸びており、また前記連結チャンバ４３の中の前記昇降親ネジ４６と前記モーター軸４２との間がタイミングはめ歯ベルト４４によって動力が伝達できるように連結され、前記モーター４１が作動して左右の前記昇降親ネジ４６を駆動して回転させ、それによって前記昇降ブロック４９が前記風力発電装置６０５を昇降連動させる。
【００２２】
有益なように、前記風力発電装置６０５は支持軸５０を含み、前記支持軸５０の上端が前記昇降ブロック４９に固定的に設置され、前記支持軸５０の中には蓄電池５１が取り付けられ、前記照明ライト２５と前記モーター４１とが前記蓄電池５１と通電できるように連結され、前記支持軸５０の前端面の中には風力回転軸５２が回転できるように設置され、前記風力回転軸５２の後端が前記蓄電池５１と連結され、前記風力回転軸５２の前端には取り付け盤５３が固定的に設置され、前記取り付け盤５３には三つのファン５４が四周に向くように取り付けられ、前記ファン５４が回転して風力エネルギーを電気エネルギーに変えて前記蓄電池５１の中に貯蔵する。
【００２３】
以下、図１〜５を合わせて本出願の赤外線センサー付きの省エネルギー廊下ライトの使用ステップを詳しく説明する：
【００２４】
使用の時、二つの回転カバー２０が閉じ、照明ライト２５は普通に照明でき、外部の照明スイッチによって照明ライト２５を制御し、この時、ファン５４が外部空間の中に位置しており、それによってファン５４が回転して風力エネルギーを電気エネルギーに変えて蓄電池５１の中に貯蔵し、電気エネルギーは照明ライト２５に電力を提供でき、夜に照明する時、モーター４１が作動して回転親ネジ４０を駆動して回転させ、それによって押しブロック３２が下降し、この時に圧力かけ板２６が動かなく、圧力ばね３１が圧縮され、それによって歯付きブロック３３が伝動ギヤ３５を回転連動させ、ベルト３９によって回転ギヤ１７を回転させ、それによって左右の断熱密封板１４がが互いに離れている方向に移動して置きチャンバ１２を開け、押しブロック３２が持続して下降し、それによって圧力かけ板２６を押し動かして下降させ、圧力かけ板２６が二つのスライドブロック１８を押して互いに離れている方向に移動させ、固定ラック２４によって噛み合いギヤ２３を回転させ、それによって回転カバー２０を回転させて開け又は閉めることを制御し、また回転カバー２０が凹チャンバ５５の中に位置するまでに回転して収縮し、モーター４１が作動する時、タイミングはめ歯ベルト４４によって昇降親ネジ４６を回転させ、それによって昇降ブロック４９がファン５４を連動させて昇降チャンバ４８の中に収縮させて貯蔵し、この時、赤外線センサー２７が外部空間に伸び、歩行者は通る時、赤外線センサー２７が人体の熱源温度に感応した後に照明ライト２５を制御して開け、照明ライト２５が照明でき、照明ライト２５が赤外線センサー２７との間隔が遠く、赤外線センサー２７の作動の感度に影響しなく、使用に便利を与える。
【００２５】
本発明の有益な効果は：本発明の赤外線センサー付きの省エネルギー廊下ライトは外部のスイッチによって手で制御する方式と赤外線センサーで制御する方式との二つの方式があり、赤外線センサーの使用寿命を延ばすことができ、また、照明ライトは回転カバーの中に取り付けられ、防塵の作用を持ち、赤外線センサーによって照明を制御する時、照明ライトは赤外線センサーと分離し、赤外線センサーは温度の影響で感度が弱くなる問題の発生を減少し、そのほか、本照明装置は風力エネルギーによって発電でき、エネルギーを省いて環境に優しい。
【００２６】
上記の実施例により、当業者は本出願の範囲で作業モードによって各種の変型を行うことができる。
【図１】
2020202168.tif 000003
【図２】
2020202168.tif 000004
【図３】
2020202168.tif 000005
【図４】
2020202168.tif 000006
【図５】
2020202168.tif 000007
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
正面視で、廊下の天井を含み、前記天井の中には置きチャンバが設置され、前記置きチャンバには開け閉め装置が設置され、前記開け閉め装置には回転カバーが回転できるように設置され、前記回転カバーには照明ライトが取り付けられ、前記置きチャンバの下側には密封装置が設置され、前記密封装置は前記置きチャンバを密封でき、前記置きチャンバの上側には押しチャンバが連通するように設置され、 前記押しチャンバの中には押し装置が設置され、前記押し装置の中には下端が前記置きチャンバの中に伸びている赤外線センサーが取り付けられ、前記押し装置が前記密封装置と動力が伝達できるように連結され、前記置きチャンバの左右両側には凹チャンバが対称的に設置され、前記凹チャンバの下端が外部空間と連通しており、前記凹チャンバのうち前記置きチャンバから離れている片側には伸縮装置が設置され、前記伸縮装置の下端には風力発電装置が設置され、左右の前記回転カバーが互いに当接した時、前記照明ライトが作動して普通の照明として使われ、この時、前記風力発電装置が作動して風力エネルギーを電気エネルギーに変えて貯蔵し、前記押し装置が前記回転カバーを駆動して開けると、前記赤外線センサーが下降して外部空間に伸び、赤外線の温度測定の原理によって前記照明ライトのスイッチを制御し、この時、前記風力発電装置は作動を停止し、温度のために赤外線センサーの感度に影響することを避け、 
前記開け閉め装置は前記置きチャンバの中の左右対称のスライドブロックを含み、前記スライドブロックの中には回転チャンバが設置され、前記回転チャンバの中には回転軸が回転できるように設置され、前記回転カバーの上端が前記回転軸に固定的に設置され、前記回転チャンバの後側には噛み合いチャンバが連通するように設置され、前記回転軸の後端が前記噛み合いチャンバの後端壁と回転できるように連結され、前記噛み合いチャンバの中にある前記回転軸には噛み合いギヤが固定的に設置され、前記置きチャンバの左右端壁の中にはそれぞれ固定ラックが固定的に設置され、前記固定ラックが前記噛み合いギヤの上側位置にあり、前記固定ラックが前記噛み合いギヤと噛み合っており、 
前記密封装置は左右対称の密封スライドチャンバを含み、前記密封スライドチャンバの中には断熱密封板がスライドできるように設置され、前記密封スライドチャンバの後側には回転溝が連通するように形成されており、前記回転溝の中には回転ギヤが回転ロッドによって回転できるように設置され、前記回転ギヤが前記断熱密封板と噛み合っており、前記回転ロッドの上端が前記押し装置と動力が伝達できるように連結され、
前記押し装置は前記押しチャンバの中に設置された圧力かけ板を含み、前記赤外線センサーの上端が前記圧力かけ板に固定的に設置され、前記圧力かけ板の中には押し空間が設置され、前記押し空間の中には連結ロッドがスライドできるように設置され、前記連結ロッドの下端と前記押し空間との間には圧力ばねが固定的に設置され、前記押し空間の左右両側には対称のスライドガイド溝が連通するように形成されており、前記連結ロッドの両端がそれぞれ前記スライドガイド溝の中に伸びており、前記連結ロッドの上端面には押しブロックが固定的に設置され、前記押しブロックの後端面には歯付きブロックが固定的に設置され、前記押しブロックの中には回転親ネジがネジ山によって連結され、前記押しチャンバの上端壁にはモーターが取り付けられ、前記回転親ネジの上端が前記モーターに動力が伝達できるように連結され、前記モーターの上端にはモーター軸が動力が伝達できるように連結され、前記押しチャンバの後端壁には伝動チャンバが連通するように設置され、前記伝動チャンバの中には伝動ギヤが回転できるように設置され、前記伝動ギヤが前記歯付きブロックと噛み合っており、前記伝動ギヤの右側には伝動ベベルギヤが噛み合うように連結され、前記伝動ベベルギヤの軸心のところにはギヤ軸が固定的に設置され、前記伝動チャンバの下側にはベルトチャンバが連通するように設置され、前記ギヤ軸の下端が前記ベルトチャンバの下端壁と回転できるように連結され、前記ベルトチャンバが前記回転溝と連通しており、左右の前記回転ロッドの上端が前記ベルトチャンバの中に伸びており、前記ベルトチャンバの中にある前記回転ロッドと前記ギヤ軸との間にはベルトによって動力が伝達できるように連結され、
前記伝動ギヤは固定的に連結された左側に位置しているスパーギヤと右側に位置しているベベルギヤとによって構成され、 
前記伸縮装置は左右対称の昇降チャンバを含み、前記昇降チャンバの中には昇降ブロックがスライドできるように設置され、前記昇降ブロックのうち対称中心から離れている一端には昇降ガイドブロックが固定的に設置され、前記昇降チャンバのうち対称中心から離れている片側には昇降ガイド溝が連通するように形成されており、前記昇降ガイド溝の中には昇降親ネジが回転できるように設置され、前記昇降ガイドブロックが前記昇降親ネジとネジ山によって連結され、前記昇降ガイド溝の上側には連結チャンバが連通するように設置され、前記昇降親ネジの上端が前記連結チャンバの中に伸びており、また前記連結チャンバの中の前記昇降親ネジと前記モーター軸との間がタイミングはめ歯ベルトによって動力が伝達できるように連結され、
前記風力発電装置は支持軸を含み、前記支持軸の上端が前記昇降ブロックに固定的に設置され、前記支持軸の中には蓄電池が取り付けられ、前記照明ライトと前記モーターとが前記蓄電池と通電できるように連結され、前記支持軸の前端面の中には風力回転軸が回転できるように設置され、前記風力回転軸の後端が前記蓄電池と連結され、前記風力回転軸の前端には取り付け盤が固定的に設置され、前記取り付け盤には三つのファンが四周に向くように取り付けられたことを特徴とする赤外線センサー付きの省エネルギー廊下ライト。